【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
標的後根の少なくとも一部を刺激するためのシステムであって、
少なくとも１つの電極を有するリード線であって、前記少なくとも１つの電極の少なくとも１つが、前記標的後根の少なくとも一部を刺激できるように配置されるように構成されている、リード線と、
前記リード線に接続可能な植え込み型パルス発生器であって、前記リード線がそのように配置されたときに前記標的後根に関連した前根を刺激するためのエネルギ閾値よりも低いエネルギを有する刺激信号を前記リード線に供給する、パルス発生器と、を備える、システム。
【請求項２】
前記標的後根の少なくとも一部が、後根神経節を含む、請求項１に記載のシステム。
【請求項３】
前記刺激信号が、約４ｍＡ以下の電流振幅を有する、請求項１に記載のシステム。
【請求項４】
前記電流振幅が、約８００μＡ以下である、請求項２に記載のシステム。
【請求項５】
前記少なくとも１つの電極の少なくとも１つが、約６ｍｍ２以下の平均電極表面積を有する、請求項１に記載のシステム。
【請求項６】
前記平均電極表面積が、約４ｍｍ２以下である、請求項５に記載のシステム。
【請求項７】
少なくとも１つの電極を有する第２のリード線をさらに備え、前記第２のリード線が、その電極の少なくとも１つが第２の標的後根の少なくとも一部を刺激できるように配置されるように構成されており、前記第２のリード線が、刺激信号を前記第２のリード線に供給する前記植え込み型パルス発生器に接続可能であり、前記第２のリード線に対する前記刺激信号が、前記第２のリード線がそのように配置されたときに前記第２の標的後根に関連した前根を刺激するためのエネルギ閾値よりも低いエネルギを有する、請求項１に記載のシステム。
【請求項８】
前記標的後根と前記第２の標的後根が、異なる脊髄レベルにある、請求項７に記載のシステム。
【請求項９】
前記リード線に対する前記刺激信号と前記第２のリード線に対する前記刺激信号が異なる、請求項７に記載のシステム。
【請求項１０】
中枢神経系の標的神経組織を刺激するためのシステムであって、
少なくとも１つの電極を有するリード線であって、前記少なくとも１つの電極の少なくとも１つが、前記標的神経組織を刺激できるように配置されるように構成されている、リード線と、
前記リード線に接続可能な植え込み型パルス発生器であって、１００μＡ未満の電流振幅を有する刺激信号を供給する、パルス発生器と、を備える、システム。
【請求項１１】
前記標的脊髄神経組織が、後根神経節を含む、請求項１に記載のシステム。
【請求項１２】
標的後根の少なくとも一部を刺激するためのシステムであって、
少なくとも１つの電極を有するリード線であって、前記少なくとも１つの電極の少なくとも１つが、刺激信号が供給されときに前記標的後根の少なくとも一部を刺激できるように配置されるように構成されている、リード線と、
前記リード線に接続可能な植え込み型パルス発生器であって、約１００ｎＪ／パルス未満のエネルギを有する刺激信号を供給する、パルス発生器と、を備える、システム。
【請求項１３】
前記刺激信号が、約５０ｎＪ／パルス未満のエネルギを有する、請求項１２に記載のシステム。
【請求項１４】
前記刺激信号が、約１０ｎＪ／パルス未満のエネルギを有する、請求項１３に記載のシステム。
【請求項１５】
前記標的後根の少なくとも一部が、後根神経節を含む、請求項１２に記載のシステム。
【請求項１６】
標的後根の少なくとも一部を刺激するためのシステムであって、
少なくとも１つの電極を有するリード線であって、前記少なくとも１つの電極の少なくとも１つが、刺激信号が供給されたときに前記標的後根の少なくとも一部を刺激できるように配置されるように構成されている、リード線と、
前記リード線に接続可能な植え込み型パルス発生器であって、４ｍＡ未満の電流振幅を有する刺激信号を供給する、パルス発生器と、を備える、システム。
【請求項１７】
標的後根の少なくとも一部を刺激するためのシステムであって、
少なくとも１つの電極を有するリード線であって、前記少なくとも１つの電極の少なくとも１つが、前記標的後根の少なくとも一部の表面または近傍に配置可能であるように構成されている、リード線と、
前記リード線に接続可能な植え込み型パルス発生器であって、少なくとも１つの信号パラメータにより前記標的後根の少なくとも一部を選択的に刺激する前記少なくとも１つの電極の少なくとも１つに刺激信号を供給する、パルス発生器と、を備える、システム。
【請求項１８】
前記少なくとも１つの信号パラメータが、電流振幅を含む、請求項１７に記載のシステム。
【請求項１９】
前記電流振幅が、約４ｍＡ以下である、請求項１８に記載のシステム。
【請求項２０】
前記少なくとも１つの信号パラメータがパルス幅を含み、前記パルス幅が５００μｓ未満である、請求項１７に記載のシステム。
【請求項２１】
前記標的後根の少なくとも一部が、後根神経節を含む、請求項１７に記載のシステム。
【請求項２２】
標的後根神経節を刺激するためのシステムであって、
少なくとも１つの電極を有するリード線であって、前記少なくとも１つの電極の少なくとも１つが、前記標的後根神経節の表面または近傍に配置可能であるように構成されている、リード線と、
前記リード線に接続可能な植え込み型パルス発生器であって、前記標的後根神経節への近接により前記標的後根神経節を選択的に刺激する前記少なくとも１つの電極の少なくとも１つにエネルギを供給する、パルス発生器と、を備える、システム。
【請求項２３】
中枢神経系の標的神経組織を刺激するためのシステムであって、
少なくとも１つの電極を有するリード線であって、前記少なくとも１つの電極の少なくとも１つが、前記標的神経組織を刺激できるように配置されるように構成されている、リード線と、
前記リード線に接続可能な植え込み型パルス発生器であって、５０μＡ以下の増分で調整可能な電流振幅を有する刺激信号を供給する、パルス発生器と、を備える、システム。
【請求項２４】
前記電流振幅が、２５μＡ以下の増分で調整可能である、請求項２０に記載のシステム。
【請求項２５】
後根神経節の一部を刺激するためのシステムであって、前記後根神経節の一部が、真皮節内の特定の部位に関連し、
少なくとも１つの電極を有するリード線であって、前記少なくとも１つの電極の少なくとも１つが、前記後根神経節の一部を刺激できるように配置されるように構成されている、リード線と、
前記リード線に接続可能なパルス発生器であって、前記後根神経節の一部を刺激して前記真皮節の前記特定の部位内に影響を与える前記少なくとも１つの電極の少なくとも１つに刺激信号を供給する、パルス発生器と、を備える、システム。
【請求項２６】
前記少なくとも１つの電極の少なくとも１つと前記刺激信号の組み合わせが、前記後根神経節の一部の刺激を可能にする形状を有するが前記後根神経節の他の部分を実質的に含まない電場を生成する、請求項２５に記載のシステム。
【請求項２７】
前記少なくとも１つの電極の少なくとも１つが、各電極のおおよその中心間が０．２５０インチ離隔した２つの電極を備える、請求項２６に記載のシステム。
【請求項２８】
前記刺激信号が、約４ｍＡ以下の電流振幅を有する、請求項２６に記載のシステム。
【請求項２９】
前記刺激信号が、１ｍＡ以下の電流振幅を有する、請求項２８に記載のシステム。
【請求項３０】
前記刺激信号が、約１００ｎＪ／パルス未満のエネルギを有する、請求項２６に記載のシステム。
【請求項３１】
患者の体内で真皮節下刺激を提供するためのシステムであって、
少なくとも１つの電極を有するリード線であって、前記少なくとも１つの電極が、真皮節に関連した後根神経節に近接して配置可能であるように構成されている、リード線と、
前記リード線に接続可能なパルス発生器と、を備え、
前記パルス発生器が、前記後根神経節を刺激して前記真皮節の第１の体の部位内に第１の影響を与える第１の電場を生成するために、前記少なくとも１つの電極の少なくとも１つに第１の刺激信号を供給し、
前記パルス発生器が、前記後根神経節を刺激して前記真皮節の第２の体の部位内に第２の影響を与える第２の電場を生成するために、前記少なくとも１つの電極の少なくとも１つに第２の刺激信号を供給する、システム。
【請求項３２】
前記第１の刺激信号と前記第２の刺激信号が、異なる刺激パラメータを有する、請求項３１に記載のシステム。
【請求項３３】
前記第１の刺激信号を受け取る前記少なくとも１つの電極の少なくとも１つが、前記第２の刺激信号を受け取る前記少なくとも１つの電極の少なくとも１つとは異なる、請求項３１に記載のシステム。
【請求項３４】
前記第１の電場と前記第２の電場が異なる形状を有する、請求項３１に記載のシステム。
【請求項３５】
前記第１の電場と前記第２の電場が異なる大きさを有する、請求項３１に記載のシステム。
【請求項３６】
前記第１の影響が痛みの緩和を含む、請求項３１に記載のシステム。
【請求項３７】
前記第１の体の部位が、前記患者の足に沿って延在し、前記第２の体の部位が、前記患者の背に沿って延在する、請求項３１に記載のシステム。